(57)【要約】【課題】既設の油圧式エレベータに落下防止弁を追加して設ける場合であっても、落下防止弁が正常に動作するか否かの確認を比較的容易に行うことができるようにする。【解決手段】本発明に係る落下防止弁の動作確認方法は、逆止弁位置８ａを有し、主制御弁７の異常動作時に油圧ジャッキ２の作動を停止させる落下防止弁８と、流量制御弁位置９ｂを有し、停電時に流量制御弁位置９ｂに切り換えられ、乗かご１を最寄り階まで下降させる制御を行う停電時着床装置用弁９とを備えた油圧式エレベータにあって、落下防止弁８の動作確認に際しては、落下防止弁８を、油圧ジャッキ２の作動を停止させる逆止弁位置８ａに切り換え制御し、この状態で停電時着床装置用弁９を流量制御弁位置９ｂに切り換え制御したときの乗かご１の下降の有無により、落下防止弁８が正常に動作するか否かを確認するようにした。【選択図】図１
2016003080.tif 000002
【特許請求の範囲】
【請求項１】
乗かごと、この乗かごを昇降させる油圧ジャッキと、この油圧ジャッキを作動させる圧油を供給する油圧ポンプと、この油圧ポンプと前記油圧ジャッキとを連絡する主管路に設けられ、前記油圧ジャッキの作動を制御する主制御弁と、逆止弁位置と流量制御弁位置を有し、前記主制御弁の異常動作時に逆止弁位置に切り換えられて、前記乗かごを下降させる前記油圧ジャッキの作動を停止させる落下防止弁と、逆止弁位置と流量制御弁位置を有し、停電時にエレベータの電源とは別に設置される電源により流量制御弁位置に切り換えられ、前記乗かごを最寄り階まで下降させる制御を行う停電時着床装置用弁とを備えた油圧式エレベータにあって、
前記落下防止弁が正常に動作するか否かを確認する油圧式エレベータの落下防止弁の動作確認方法において、
前記落下防止弁を、前記油圧ジャッキの作動を停止させる逆止弁位置に切り換え制御し、
この状態で前記停電時着床装置用弁を流量制御弁位置に切り換え制御したときの前記乗かごの下降の有無により、前記落下防止弁が正常に動作するか否かを確認することを特徴とする油圧式エレベータの落下防止弁の動作確認方法。
【請求項２】
請求項１に記載の油圧式エレベータの落下防止弁の動作確認方法が適用される油圧式エレベータの落下防止弁の動作確認装置において、
前記落下防止弁を、前記主制御弁と前記油圧ジャッキとの間に位置する前記主管路部分に設け、
前記停電時着床装置用弁を、分岐管路に設け、
前記分岐管路の一端を、前記主制御弁と前記落下防止弁との間に位置する前記主管路部分に接続し、
前記分岐管路の他端を、前記主制御弁と前記油圧ポンプとの間に位置する前記主管路部分に接続したことを特徴とする油圧式エレベータの落下防止弁の動作確認装置。
【請求項３】
請求項２に記載の油圧式エレベータの落下防止弁の動作確認装置において、
前記落下防止弁は、前記主制御弁と前記停電時着床装置用弁を有する既設の油圧式エレベータに、新たに追加して設けられたものから成ることを特徴とする油圧式エレベータの落下防止弁の動作確認装置。
【発明の詳細な説明】
【技術分野】
【０００１】
本発明は、乗かごを下降させる油圧ジャッキの作動を停止させる際に活用される落下防止弁が、正常に動作するか否かを確認する油圧式エレベータの落下防止弁の動作確認方法、及び動作確認装置に関する。
【背景技術】
【０００２】
エレベータの更なる安全確保のために、油圧式エレベータに、主制御弁の異常動作時に乗かごを下降させる油圧ジャッキを構成する油圧シリンダの作動を停止させる落下防止弁を備えた構成が特許文献１に開示されている。
【０００３】
この特許文献１に開示された従来の油圧式エレベータは、乗かごを昇降させる油圧ジャッキを構成する油圧シリンダと、この油圧シリンダを作動させる圧油を供給する油圧ポンプと、この油圧ポンプと油圧シリンダとを連絡する主管路に設けられ、油圧シリンダの作動を制御する主制御弁を構成する主弁装置とを備えている。また、この従来技術は、主弁装置と油圧シリンダとの間に配置され、主弁装置の異常動作時に乗かごを下降させる油圧シリンダの作動を停止させる落下防止弁を含む安全装置を備えている。
【先行技術文献】
【特許文献】
【０００４】
【特許文献１】特許第４７６７１９３号公報
【発明の概要】
【発明が解決しようとする課題】
【０００５】
ところで、乗かごを昇降させる油圧ジャッキ、及びこの油圧ジャッキを制御する主制御弁を有する既設の油圧式エレベータに、更なる安全確保のために特許文献１に示されるような、逆止弁位置と流量制御弁位置とを有する落下防止弁を新たに追加して設けた場合、主制御弁の動作に制約を与えないために、主制御弁が流量制御弁位置に切り換えられたときには、同様に落下防止弁も流量制御位置に切り換えられるように制御し、主制御弁が逆止弁位置に切り換えられたときには、落下防止弁も同様に逆止弁位置に切り換え制御することになる。
【０００６】
ここで、落下防止弁を追加して設けた場合、この落下防止弁が正常に動作するか否かを確認することが必要になるが、この確認作業は、落下防止弁を、乗かごを下降させる油圧ジャッキの作動を停止させる逆止弁位置に切り換えた状態で、主制御弁を開放位置である流量制御弁位置に切り換えて、このときの乗かごの下降の有無を見ることになる。したがってこの落下防止弁の確認作業のためには、既設の油圧式エレベータの運転制御プログラムの大幅な改造、または運転制御プログラムの一式交換が必要になる。これに伴って改造作業工数、及び作業コストが多大なものとなる。また、改造作業に時間がかかることから、油圧式エレベータの停止時間が長くなり、エレベータ利用者に対するサービス性が著しく低下する虞がある。
【０００７】
本発明は、前述した従来技術における実情からなされたもので、その目的は、既設の油圧式エレベータに落下防止弁を追加して設ける場合であっても、落下防止弁が正常に動作するか否かの確認を比較的容易に行うことができる油圧式エレベータの落下防止弁の動作確認方法、及び動作確認装置を提供することにある。
【課題を解決するための手段】
【０００８】
前記目的を達成するために、本発明に係る油圧式エレベータの落下防止弁の動作確認方法は、乗かごと、この乗かごを昇降させる油圧ジャッキと、この油圧ジャッキを作動させる圧油を供給する油圧ポンプと、この油圧ポンプと前記油圧ジャッキとを連絡する主管路に設けられ、前記油圧ジャッキの作動を制御する主制御弁と、逆止弁位置と流量制御弁位置を有し、前記主制御弁の異常動作時に逆止弁位置に切り換えられて、前記乗かごを下降させる前記油圧ジャッキの作動を停止させる落下防止弁と、逆止弁位置と流量制御弁位置を有し、停電時にエレベータの電源とは別に設置される電源により流量制御弁位置に切り換えられ、前記乗かごを最寄り階まで下降させる制御を行う停電時着床装置用弁とを備えた油圧式エレベータにあって、前記落下防止弁が正常に動作するか否かを確認する油圧式エレベータの落下防止弁の動作確認方法において、前記落下防止弁を、前記油圧ジャッキの作動を停止させる逆止弁位置に切り換え制御し、この状態で前記停電時着床装置用弁を流量制御弁位置に切り換え制御したときの前記乗かごの下降の有無により、前記落下防止弁が正常に動作するか否かを確認することを特徴としている。
【０００９】
また、前述した油圧式エレベータの落下防止弁の動作確認方法が適用される本発明に係る油圧式エレベータの落下防止弁の動作確認装置は、前記落下防止弁を、前記主制御弁と前記油圧ジャッキとの間に位置する前記主管路部分に設け、前記停電時着床装置用弁を、分岐管路に設け、前記分岐管路の一端を、前記主制御弁と前記落下防止弁との間に位置する前記主管路部分に接続し、前記分岐管路の他端を、前記主制御弁と前記油圧ポンプとの間に位置する前記主管路部分に接続したことを特徴としている。
【発明の効果】
【００１０】
本発明に係る油圧式エレベータの落下防止弁の動作確認方法、及び動作確認装置によれば、既設の油圧式エレベータに落下防止弁を追加して設ける場合であっても、油圧式エレベータに通常設けられる既設の停電時着床装置用弁を、落下防止弁の動作確認に活用することから、既設の主制御弁に関係する運転制御プログラムの改造、または交換を要することがなく、落下防止弁が正常に動作するか否かの確認を停電時着床装置用弁の切り換え制御を介して比較的容易に行うことができる。これにより本発明は、落下防止弁の動作の確認に要する作業工数及び作業コストを従来に比べて低減させることができる。また本発明は、落下防止弁の動作の確認に際して、エレベータの停止時間を短くすることができ、これによりエレベータ利用者に対するサービス性を従来よりも向上させることができる。
【図面の簡単な説明】
【００１１】
【図１】本発明に係る油圧式エレベータの落下防止弁の動作確認方法が適用される動作確認装置の一実施形態を示す油圧回路図である。
【発明を実施するための形態】
【００１２】
以下、本発明に係る油圧式エレベータの落下防止弁の動作確認方法、及び動作確認装置の実施の形態を図面に基づいて説明する。
【００１３】
本発明に係る落下防止弁の動作確認方法が適用される動作確認装置の一実施形態を備えた油圧式エレベータは、図１に示すように、乗かご１と、この乗かご１を昇降させる油圧ジャッキ２と、この油圧ジャッキ２を作動させる油圧パワーユニットＡとを備えている。油圧パワーユニットＡには、油圧ジャッキ２に圧油を供給する油圧ポンプ３、及び油タンク４と、油圧ポンプ３を駆動する電動機５が含まれている。
【００１４】
また、油圧パワーユニットＡには、油圧ポンプ３と油圧ジャッキ２とを連絡する主管路６に設けられ、逆止弁位置７ａと流量制御弁位置７ｂを有し、油圧ジャッキ２の作動を制御する主制御弁７と、逆止弁位置８ａと流量制御弁位置８ｂを有し、主制御弁７の故障等の異常動作時に、逆止弁位置８ａに切り換えられて、乗かご１を下降させる油圧ジャッキ２の作動を停止させる落下防止弁（ＵＣＭＰ弁）８とが含まれている。主制御弁７が流量制御弁位置７ｂに切り換えられたときには、同様に落下防止弁８も流量制御位置８ｂに切り換えられるように制御され、主制御弁７が逆止弁位置７ａに切り換えられたときには、落下防止弁８も同様に逆止弁位置８ａに切り換え制御されるようになっている。
【００１５】
また、この油圧パワーユニットＡには、逆止弁位置９ａと流量制御弁位置９ｂを有し、停電時にエレベータの電源とは別に設置される電源により流量制御弁位置９ｂに切り換えられ、乗かご１を最寄り階まで下降させる制御を行う停電時着床装置用弁９が含まれている。この停電時着床装置用弁９は、通常の油圧式エレベータに備えられているものである。
【００１６】
前述した落下防止弁（ＵＣＭＰ弁）８は例えば、主制御弁７と停電時着床装置用弁９を有する既設の油圧式エレベータに、新たに追加して設けられたものである。
【００１７】
また、本実施形態に係る油圧式エレベータの落下防止弁の動作確認装置は、図１に示すように、落下防止弁８を、主制御弁７と油圧ジャッキ２との間に位置する主管路部７部分に設けてある。すなわち、油圧ジャッキ２に対して主制御弁７よりも上流側に、この落下防止弁８を主制御弁７と直列に設けてある。
【００１８】
また、停電時着床装置用弁９を、分岐管路１０に設け、この分岐管路１０の一端１０ａを、主制御弁７と落下防止弁８との間に位置する主管路６の部分６ａに接続し、分岐管路１０の他端１０ｂを、主制御弁７と油圧ポンプ３との間に位置する主管路６の部分６ｂに接続した構成にしてある。すなわち、主制御弁７と停電時着床装置用弁９とを並列に設けた構成にしてある。
【００１９】
油圧ジャッキ２を伸長させて乗かご１を上昇させる際には、主制御弁７が逆止弁位置７ａに、落下防止弁８も逆止弁位置８ａに、それぞれ切り換え制御され、油圧ポンプ３から吐出された圧油は、主管路７、主制御弁７の逆止弁位置７ａ、及び落下防止弁８の逆止弁位置８ａを経て、油圧ジャッキ２に供給される。
【００２０】
油圧ジャッキ２を収縮させて乗かご１を下降させる際には、主制御弁７が流量制御弁位置７ｂに、落下防止弁８も流量制御弁位置８ｂに、それぞれ切り換え制御され、油圧ジャッキ２から排出された油が、主管路６、落下防止弁８の流量制御弁位置８ｂ、主制御弁７の流量制御弁位置７ｂ、油圧ポンプ３を経て、油タンク４に戻される。
【００２１】
なお主に、主制御弁７の流量制御弁位置７ｂの開口面積の変化によって、油圧ジャッキ２に供給される流量、及び油圧ジャッキ２から排出される流量が制御される。すなわち、油圧ジャッキ２の作動速度、及び乗かご２の昇降速度が制御される。
【００２２】
また本実施形態は、乗かご２の昇降の間、主制御弁７が故障等の異常を発生し、主制御弁７を逆止弁位置７ａに切り換え制御しても油圧ジャッキ２が停止せず、乗かご２が下降しようとする状況が生じたときには、落下防止弁８の逆止弁位置８ａへの切り換え制御により、油圧ジャッキ２から油タンク４側へ戻される油の流れが阻止され、油圧ジャッキ２及び乗かご２の下降を停止させることができる。
【００２３】
前述のような本実施形態に係る落下防止弁の動作確認装置を用いて行われる本発明に係る油圧式エレベータの落下防止弁の動作確認方法の一実施形態は、落下防止弁８を、油圧ジャッキ２の作動を停止させる逆止弁位置８ａに切り換え制御し、この状態で停電時着床装置用弁９を流量制御弁位置９ｂに切り換え制御したときの乗かご１の下降の有無により、落下防止弁８が正常に動作するか否かを確認するものである。
【００２４】
このとき、乗かご１が下降しなければ落下防止弁８は正常であることが確認される。また、乗かご１の下降を生じたときには、落下防止弁８に異常を生じていることが確認される。
【００２５】
以上述べた本実施形態に係る油圧式エレベータの落下防止弁の動作確認方法、及び動作確認装置によれば、既設の油圧式エレベータに落下防止弁８を追加して設ける場合であっても、油圧式エレベータに通常設けられる既設の停電時着床装置用弁９を、落下防止弁８の動作確認に活用することから、既設の主制御弁７に関係する運転制御プログラムの改造、または交換を要することがなく、落下防止弁７が正常に動作するか否かの確認を停電時着床装置用弁９の切り換え制御を介して比較的容易に行うことができる。これにより本実施形態は、落下防止弁７の動作の確認に要する作業工数及び作業コストを低減させることができる。また本実施形態は、落下防止弁８の動作の確認に際して、エレベータの停止時間を短くすることができ、これによりエレベータ利用者に対するサービス性を向上させることができる。
【符号の説明】
【００２６】
１    乗かご
２    油圧ジャッキ
３    油圧ポンプ
６    主管路
６ａ  部分
６ｂ  部分
７    主制御弁
８    落下防止弁
８ａ  逆止弁位置
９    停電時着床装置用弁
９ｂ  流量制御弁位置
１０    分岐管路
１０ａ  一端
１０ｂ  他端
Ａ    油圧パワーユニット
【図１】
2016003080.tif 000003